(57)【要約】【課題】カーブ走行時における車両の走行状態を運転者の感覚に沿ったものとすることができる制駆動力制御装置を提供すること。【解決手段】カーブ走行時の車両の制駆動力を制御する制駆動力制御装置であって、カーブの入口側において車両に前後方向の減速度が作用した状態で旋回を開始した後の減速時に、車両に作用する横加速度と前後方向の減速度とが予め設定された第一の関係となるように制駆動力を制御（Ｓ９０）可能であり、第一の関係は、入口側において旋回を開始したときに車両に作用している横加速度および前後方向の減速度に基づく。制駆動力の制御を実行するか否かは、過去のカーブ走行時に運転者が運転操作をして車両に作用した横加速度と前後方向の減速度との関係である第二の関係に基づき判定される（Ｓ６０）。【選択図】図１
2011098606.tif 000002
【特許請求の範囲】
【請求項１】
カーブ走行時の車両の制駆動力を制御する制駆動力制御装置であって、
前記カーブの入口側において前記車両に前後方向の減速度が作用した状態で旋回を開始した後の減速時に、前記車両に作用する横加速度と前後方向の減速度とが予め設定された第一の関係となるように前記制駆動力を制御可能であり、
前記第一の関係は、前記入口側において旋回を開始したときに前記車両に作用している横加速度および前後方向の減速度に基づき、
前記制駆動力の制御を実行するか否かが、過去のカーブ走行時に運転者が運転操作をして前記車両に作用した横加速度と前後方向の減速度との関係である第二の関係に基づき判定される
ことを特徴とする制駆動力制御装置。
【請求項２】
請求項１に記載の制駆動力制御装置において、
前記第一の関係は、更に、前記第二の関係に基づき設定される
ことを特徴とする制駆動力制御装置。
【請求項３】
請求項１に記載の制駆動力制御装置において、
前記第一の関係は、横加速度と前後方向の減速度の推移を示す予め記憶された走行パターンに基づき設定される
ことを特徴とする制駆動力制御装置。
【請求項４】
請求項１〜３のいずれか１項に記載の制駆動力制御装置において、
前記制駆動力の制御は、前記運転者が、前記旋回を開始した後の減速時に横加速度の増加に応じて前後方向の減速度を減少させ、かつ、前記旋回を開始した後の減速時において横加速度と前後方向の減速度とを合成した加速度の大きさの変動の度合いが所定の度合い以下となる所定の運転者である場合に実行され、
前記運転者が前記所定の運転者であるか否かは、前記第二の関係に基づき判定される
ことを特徴とする制駆動力制御装置。
【請求項５】
請求項１〜４のいずれか１項に記載の制駆動力制御装置において、
前記車両の周辺環境に基づき、前記カーブにおいて減速操作と旋回操作とを同時に行うことが許容されないと判定された場合は、前記制駆動力の制御を行わない
ことを特徴とする制駆動力制御装置。
【請求項６】
請求項１〜５のいずれか１項に記載の制駆動力制御装置において、
更に、前記カーブの出口側において加速を開始した後の加速時に前記車両に作用する横加速度と前後方向の加速度とが予め設定された第三の関係となるように前記制駆動力を制御し、
前記第三の関係は、前記出口側において加速を開始したときに前記車両に作用している横加速度および前後方向の加速度に基づく
ことを特徴とする制駆動力制御装置。
【請求項７】
カーブ走行時の車両の制駆動力を制御する制駆動力制御装置であって、
前記カーブの入口側において前記車両に前後方向の減速度が作用した状態で旋回を開始した後の減速時に、前記車両に作用する横加速度と前後方向の減速度とが予め設定された第一の関係となるように前記制駆動力を制御可能であり、
前記第一の関係は、前記入口側において旋回を開始したときに前記車両に作用している横加速度および前後方向の減速度と、過去のカーブ走行時に運転者が運転操作をして前記車両に作用した横加速度と前後方向の減速度との関係である第二の関係とに基づく
ことを特徴とする制駆動力制御装置。
【発明の詳細な説明】
【技術分野】
【０００１】
本発明は、制駆動力制御装置に関し、特に、カーブ走行時の車両の制駆動力を制御する制駆動力制御装置に関する。
【背景技術】
【０００２】
従来、カーブ（コーナ）進入時に車両の減速制御を行う技術が知られている。例えば、特許文献１には、ドライバの運転状態（スポーティ度）に基づきカーブでの車両の許容旋回速度を演算する許容旋回速度演算手段と、車両がカーブに進入する前に許容旋回速度に向け車速を低減させ車両を減速制御する減速手段とを備える車両の車速制御装置が開示されている。特許文献１の車両の車速制御装置によれば、カーブ手前でドライバの意思に応じて違和感なく自動減速を実施できるとされている。
【先行技術文献】
【特許文献】
【０００３】
【特許文献１】特開平１０−２６９４９９号公報
【発明の概要】
【発明が解決しようとする課題】
【０００４】
しかしながら、カーブ走行時における車両の走行状態を運転者の感覚に沿ったものとするためには、なお検討の余地がある。例えば、特許文献１では、カーブに進入した後に運転者がどのように車両に作用する加速度をコントロールしようとしているかが考慮されていない。
【０００５】
本発明の目的は、カーブ走行時における車両の走行状態を運転者の感覚に沿ったものとすることができる制駆動力制御装置を提供することである。
【課題を解決するための手段】
【０００６】
本発明の制駆動力制御装置は、カーブ走行時の車両の制駆動力を制御する制駆動力制御装置であって、前記カーブの入口側において前記車両に前後方向の減速度が作用した状態で旋回を開始した後の減速時に、前記車両に作用する横加速度と前後方向の減速度とが予め設定された第一の関係となるように前記制駆動力を制御可能であり、前記第一の関係は、前記入口側において旋回を開始したときに前記車両に作用している横加速度および前後方向の減速度に基づき、前記制駆動力の制御を実行するか否かが、過去のカーブ走行時に運転者が運転操作をして前記車両に作用した横加速度と前後方向の減速度との関係である第二の関係に基づき判定されることを特徴とする。
【０００７】
本発明の制駆動力制御装置において、前記第一の関係は、更に、前記第二の関係に基づき設定されることを特徴とする。
【０００８】
本発明の制駆動力制御装置において、前記第一の関係は、横加速度と前後方向の減速度の推移を示す予め記憶された走行パターンに基づき設定されることを特徴とする。
【０００９】
本発明の制駆動力制御装置において、前記制駆動力の制御は、前記運転者が、前記旋回を開始した後の減速時に横加速度の増加に応じて前後方向の減速度を減少させ、かつ、前記旋回を開始した後の減速時において横加速度と前後方向の減速度とを合成した加速度の大きさの変動の度合いが所定の度合い以下となる所定の運転者である場合に実行され、前記運転者が前記所定の運転者であるか否かは、前記第二の関係に基づき判定されることを特徴とする。
【００１０】
本発明の制駆動力制御装置において、前記車両の周辺環境に基づき、前記カーブにおいて減速操作と旋回操作とを同時に行うことが許容されないと判定された場合は、前記制駆動力の制御を行わないことを特徴とする。
【００１１】
本発明の制駆動力制御装置において、更に、前記カーブの出口側において加速を開始した後の加速時に前記車両に作用する横加速度と前後方向の加速度とが予め設定された第三の関係となるように前記制駆動力を制御し、前記第三の関係は、前記出口側において加速を開始したときに前記車両に作用している横加速度および前後方向の加速度に基づくことを特徴とする。
【００１２】
本発明の制駆動力制御装置は、カーブ走行時の車両の制駆動力を制御する制駆動力制御装置であって、前記カーブの入口側において前記車両に前後方向の減速度が作用した状態で旋回を開始した後の減速時に、前記車両に作用する横加速度と前後方向の減速度とが予め設定された第一の関係となるように前記制駆動力を制御可能であり、前記第一の関係は、前記入口側において旋回を開始したときに前記車両に作用している横加速度および前後方向の減速度と、過去のカーブ走行時に運転者が運転操作をして前記車両に作用した横加速度と前後方向の減速度との関係である第二の関係とに基づくことを特徴とする。
【発明の効果】
【００１３】
本発明にかかる制駆動力制御装置は、前後方向の減速度が作用した状態で旋回を開始した後の減速時に、横加速度と前後方向の減速度とが予め設定された第一の関係となるように制駆動力を制御できる。第一の関係は、カーブの入口側において旋回を開始したときに車両に作用している横加速度および前後方向の減速度に基づいており、制駆動力の制御を実行するか否かは、過去のカーブ走行時に運転者が運転操作をして車両に作用した横加速度と前後方向の減速度との関係に基づき判定される。これにより、カーブ走行時における車両の走行状態を運転者の感覚に沿ったものとすることができるという効果を奏する。
【図面の簡単な説明】
【００１４】
【図１】図１は、制駆動力制御装置の動作を示すフローチャートである。
【図２】図２は、実施形態に係る装置の概略構成図である。
【図３】図３は、技量の高い運転者の減速時の車両Ｇの変化パターンを示す図である。
【図４】図４は、技量の低い運転者の減速時の車両Ｇの変化パターンを示す図である。
【図５】図５は、カーブ走行時の過渡領域等について説明するための図である。
【図６】図６は、車両Ｇコントロールタイプの判定方法を説明するための図である。
【図７】図７は、技量の高い運転者の加速時の車両Ｇの変化パターンを示す図である。
【図８】図８は、技量の低い運転者の加速時の車両Ｇの変化パターンを示す図である。
【発明を実施するための形態】
【００１５】
以下に、本発明にかかる制駆動力制御装置の一実施形態につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１６】
（実施形態）
図１から図８を参照して、実施形態について説明する。本実施形態は、カーブ走行時の車両の制駆動力を制御する制駆動力制御装置に関する。図１は、本発明にかかる制駆動力制御装置の実施形態の動作を示すフローチャートである。
【００１７】
本実施形態の制駆動力制御装置は、車両減速状態から旋回状態へ移行する過渡領域（図５の符号ＳＴin参照）で、道路環境や運転技量による前後Ｇ・横Ｇを連係させた車両Ｇの変化パターンを推定する。そして、車両Ｇを円弧状（図３の符号Ｙ１参照）に変化させる走行環境、運転者に対してのみ、推定された車両Ｇの変化パターンに基づき、車両横加速度（横Ｇ）の増加に合わせて減速度の減少量を決定する。これにより、運転者に違和感を与えることなく、運転者の運転（特性）に応じた横加速度と前後加速度を実現することができる。その結果、運転者の余分な修正操作をなくし、ドライバビリティの悪化や燃費の悪化を防止することができる。
【００１８】
本実施形態の構成としては、以下の（１）〜（５）の５つの構成を備えていることが前提となる。
（１）運転者のブレーキ操作と独立して制動力をコントロールできる車両。また、運転者のアクセル操作と独立して駆動力をコントロールできる車両。
（２）前方のカーブを検出する手段。
（３）前方のカーブが、交差点であるか判断する手段、あるいは、街中を走行中か判断する手段の少なくともいずれか一方。
（４）過去のカーブで、運転者の車両Ｇコントロールのタイプを判断する手段。
（５）前方のカーブ、運転者の情報により、カーブ入口での減速終了時の減速度の減らし方を補正する手段。また、カーブ出口での加速時の駆動力の出し方を補正する手段。
【００１９】
図２は、本実施形態に係る装置の概略構成図である。車両（図示せず）には、エンジン１１が設けられている。エンジン１１には、トルクコンバータ１２を有する自動変速機１３が連結されている。エンジン１１の駆動力は、トルクコンバータ１２を介して自動変速機１３に入力され、デファレンシャルギヤ１４及びドライブシャフト１５を介して駆動輪１６に伝達される。自動変速機１３は、Ａ／Ｔ油圧制御装置１７により車両の運転状態に応じて変速比が自動的に制御される。ブレーキ装置１８は、ブレーキ油圧制御装置１９によって制御されて、車両を制動する。
【００２０】
車両には、エンジン１１や自動変速機１３やブレーキ装置１８などを制御する電子制御ユニット（ＥＣＵ）２０が設けられている。ＥＣＵ２０は、エンジン１１、自動変速機１３（Ａ／Ｔ油圧制御装置１７）及びブレーキ装置１８（ブレーキ油圧制御装置１９）の総合的な制御を行う。
【００２１】
車両には、アクセルペダルの操作量（アクセル開度）を検出するアクセルポジションセンサ２１が設けられている。アクセルポジションセンサ２１により検出されたアクセル開度を示す信号は、ＥＣＵ２０に出力される。エンジン１１の吸気管２２に設けられたスロットルコントロールバルブ２３は、スロットルアクチュエータ２４により開閉可能とされている。ＥＣＵ２０は、アクセル開度にかかわらずスロットルアクチュエータ２４によりスロットルコントロールバルブ２３のスロットル開度を制御することができる。
【００２２】
スロットルコントロールバルブ２３の全閉状態（アイドル状態）及びスロットル開度を検出するアイドルスイッチ付スロットル開度センサ２７が設けられている。アイドルスイッチ付スロットル開度センサ２７によって検出されたアイドル状態及びスロットル開度のそれぞれを示す信号は、ＥＣＵ２０に出力される。
【００２３】
エンジン１１には、エンジン回転数（エンジン回転速度）を検出するエンジン回転数センサ２８が設けられている。車速センサ２９は、車両の車速を検出する。シフトポジションセンサ３０は、運転者が操作するシフトレバーの位置（シフトポジション）を検出する。ブレーキ操作量センサ３２は、ブレーキ装置１８の操作量を検出する。ステアリング舵角センサ３３は、運転者により操作されるステアリングの舵角を検出する。各センサ２８，２９，３０，３２，３３の検出結果を示す信号は、ＥＣＵ２０に出力される。
【００２４】
ＥＣＵ２０は、変速マップを有しており、スロットル開度、車速などに基づいて、自動変速機１３の変速段を決定し、この決定された変速段を成立させるようにＡ／Ｔ油圧制御装置１７を制御することができる。
【００２５】
運転モード設定スイッチ３５は、運転者により操作され、運転モードを設定するための操作が行われる。運転者により、運転モード設定スイッチ３５が操作されることで、スポーツ走行指向又は通常走行指向の運転モードが設定され、その設定された運転モードを示す信号がＥＣＵ２０に出力される。
【００２６】
横Ｇセンサ３７は、車両の横Ｇを検出し、前後Ｇセンサ３８は、車両の前後Ｇを検出する。横Ｇセンサ３７により検出された横Ｇを示す信号および前後Ｇセンサ３８により検出された前後Ｇを示す信号のそれぞれは、ＥＣＵ２０に出力される。
【００２７】
ヨーレートセンサ４０は、車両のヨーレートを検出する。ヨーレートセンサ４０により検出されたヨーレートを示す信号は、ＥＣＵ２０に出力される。
【００２８】
ナビゲーション装置５０は、自車両を所定の目的地に誘導することを基本的な機能としており、ＥＣＵ６０と、操作部５１と、表示部５２と、スピーカ５３と、位置検出部５４と、地図データベース５５と、運転履歴記録部５６とを備えている。ナビゲーション装置５０のＥＣＵ６０は、ＥＣＵ２０と双方向の通信が可能である。
【００２９】
ＥＣＵ６０のＣＰＵ６１は、入力された情報に基づいて、ナビゲーション処理等の各種演算処理を行う。ＥＣＵ６０のＲＯＭ６２には、目的地までの経路の検索、経路中の走行案内、特定区間の決定等を行うための各種プログラムが格納されている。ＲＡＭ６３は、読み書き可能なメモリである。
【００３０】
位置検出部５４は、ＧＰＳレシーバ、地磁気センサ、距離センサ、ビーコンセンサ、及びジャイロセンサを備えている。位置検出部５４は、自車の位置を検出し、その検出した自車の位置を示すデータをＥＣＵ６０に出力する。
【００３１】
地図データベース５５には、車両の走行に必要な情報（地図、直線路、カーブ、登降坂、高速道路など）が記憶されている。地図データベース５５は、地図データファイル、交差点データファイル、ノードデータファイル、道路データファイルを備えている。ＥＣＵ６０は、地図データベース５５を参照して、必要な情報を読み出す。
【００３２】
ＥＣＵ２０は、カーブ走行時の車両の制駆動力を制御することができる。ＥＣＵ２０は、運転者によるブレーキ操作に対応する制動力に対して、車両に実際に作用する制動力を増減させることができる。例えば、ＥＣＵ２０は、ブレーキ油圧制御装置１９を制御することにより、運転者のブレーキ操作と独立して車両の制動力をコントロールする。なお、ＥＣＵ２０は、ブレーキ油圧制御装置１９の制御以外にも、エンジン１１の出力をコントロールする方法や、自動変速機１３の変速制御により制動力を制御してもよい。
【００３３】
また、ＥＣＵ２０は、運転者のアクセル操作と独立して駆動力をコントロールする機能を有する。ＥＣＵ２０は、例えば、スロットルアクチュエータ２４によりスロットルコントロールバルブ２３のスロットル開度を制御し、エンジン１１の出力を制御することにより、運転者のアクセル操作と独立して駆動力をコントロールする。
【００３４】
本実施形態では、ＥＣＵ２０は、カーブ走行時に、車両減速状態から旋回状態へ移行する過渡領域において、前後Ｇと横Ｇを連係させた車両Ｇの変化パターンを推定し、その車両Ｇの変化パターンに基づいて制駆動力制御を行う。ここで、「車両Ｇ」とは、車両に対して路面に平行な方向に作用する加速度であり、具体的には、車両に作用する前後Ｇと横Ｇとを合成した加速度を示す。
【００３５】
まず、旋回時の車両Ｇの変化パターンにおける運転者による違いについて説明する。図３は、技量の高い運転者による減速時の車両Ｇの変化パターンの一例を示す図、図４は、技量の低い運転者による減速時の車両Ｇの変化パターンの一例を示す図である。図５は、カーブ走行時の過渡領域等について説明するための図である。図３および図４において、横軸は横Ｇ、縦軸は前後Ｇをそれぞれ示す。また、点Ｐｉ（ｉ＝１，２，３，…）は、車両に作用する車両Ｇを示す。
【００３６】
きびきびとしたスポーティな走行をしているとき、技量の高い運転者は、図３に示すように、カーブ進入時に、まず符号Ｐ１に示すように減速を行い、次に、減速を継続しながら旋回を開始する。図５に示す減速区間ＳＤでは、直進状態で減速するため、図３に符号Ｐ１で示すように、横Ｇは作用せず、車両Ｇは実質的に前後方向の減速度（前後Ｇ）のみとなる。図５に符号ＳＴinで示す入口過渡領域では、運転者は、図３に矢印Ｙ１で示すように、減速度（前後Ｇ）が減った分だけ横Ｇが増加するように車両をコントロールする。運転者は、カーブの線形に応じて、また、車線の幅を利用したライン取りにより、カーブ入口からカーブの奥部へ向かうにつれて徐々にステアリング角を増加させていき、これに伴う横Ｇの増加に応じて減速度を低下させる。
【００３７】
減速状態から旋回状態へ移行する入口過渡領域ＳＴinの車両Ｇの推移Ｙ１は、原点Ｏから遠ざかる方向に突出する曲線となる。入口過渡領域ＳＴinの車両Ｇの推移Ｙ１は、例えば、円弧や、楕円弧（楕円の一部を構成する曲線）を描く。入口過渡領域ＳＴinの車両Ｇの推移Ｙ１において原点Ｏから遠ざかる突出の度合いは、運転技量に応じて異なり、特に運転技量が高い運転者の場合、入口過渡領域ＳＴinの車両Ｇの推移Ｙ１は、車両Ｇの大きさ（入口過渡領域ＳＴinの車両Ｇの推移Ｙ１上の点Ｐ２と原点Ｏとを結ぶ線分Ｌの長さ）が略一定となる曲線（例えば、原点Ｏを中心とする円弧）を描く。つまり、技量の高い運転者の場合、旋回中に横Ｇの増加に応じて前後方向の減速度を減少させ、かつ、旋回中に減速するときの横Ｇと前後方向の減速度とを合成した車両Ｇの大きさの変動の度合いが小さい。
【００３８】
図５において、符号ＳＣは、旋回区間を示す。旋回区間ＳＣでは、運転者は加減速操作を行わずに車両を旋回させる。図３において、符号Ｐ３は、旋回区間ＳＣを走行する車両に作用する車両Ｇを示す。旋回区間ＳＣでは、前後Ｇは作用せず、車両Ｇは実質的に横Ｇのみとなる。
【００３９】
一方、運転技量の低い運転者の場合、ブレーキ操作とステアリング操作を連係させることが難しい。このため、図４に示すように、ブレーキ操作で十分に減速してから旋回操作を開始する。運転技量の低い運転者は、カーブの進入前に減速する段階（符号Ｐ４参照）で旋回するために十分な速度まで減速し、その後に旋回を開始する。符号Ｐ５は、減速から旋回へ移行する車両に作用する車両Ｇを示す。符号Ｐ６は、旋回区間ＳＣを走行する車両に作用する車両Ｇを示す。
【００４０】
減速状態から旋回状態へ移行する入口過渡領域ＳＴinの車両Ｇの推移Ｙ２は、原点Ｏに向けて突出する曲線となる。入口過渡領域ＳＴinの車両Ｇの推移Ｙ２において原点Ｏに向けて突出する度合いは、例えば、運転技量に応じて異なり、運転技量が低いほど原点Ｏに向けて大きく突出する。つまり、技量の低い運転者の場合、旋回前に減速を完了して旋回中には減速しないか、あるいは旋回中に減速する場合であっても、横Ｇの増加と前後方向の減速度とが連係しなかったり、横Ｇと前後方向の減速度とを合成した車両Ｇの大きさの変動の度合いが大きかったりする。
【００４１】
従来の技術では、カーブに基づく制駆動力の制御において、車両の減速状態から旋回状態へ移行する入口過渡領域ＳＴinで、運転者が横加速度と減速度をどのように増加・減少させるかが考慮されていなかった。運転状態や運転技量により、横加速度と減速度との関係の入口過渡領域ＳＴinにおける推移が異なることが考慮されていなかったため、運転者に違和感を与える結果となっていた。例えば、カーブに進入する前に車速を目標旋回車速まで減少させる制駆動力の制御がなされる場合に、その駆動力や車速に違和感を覚えた運転者が、修正のために余分なブレーキ操作をして車速が落ちすぎたり、再加速のためのアクセル操作が増えたりして、ドライバビリティや燃費の悪化を招くことがあった。
【００４２】
本実施形態のＥＣＵ２０は、過渡領域の車両Ｇの推移を予測し、予測した車両Ｇに基づいて車両の制駆動力を制御する。具体的には、ＥＣＵ２０は、カーブの入口側において車両に前後方向の減速度が作用した状態で旋回を開始した後の減速時に、車両に作用する横加速度と前後方向の減速度とが予め設定された第一の関係となるように制駆動力を制御することができる。ＥＣＵ２０は、カーブ進入時に旋回を開始したときの前後Ｇと横Ｇの動きに基づいて、その後の車両Ｇの推移（第一の関係）を予測する。ＥＣＵ２０は、旋回開始後に、所定の間隔（例えば、所定時間経過や所定距離走行）ごとに現在および過去の車両Ｇに基づいて、将来の車両Ｇの推移を予測する。言い換えると、ＥＣＵ２０は、入口過渡領域ＳＴinにおいて、車両の走行状態に基づいて逐次その先の車両Ｇの推移を予測していく。ＥＣＵ２０は、図３に示す、入口過渡領域ＳＴinの車両Ｇの推移Ｙ１における現在の車両Ｇを示す点Ｐ２の接線方向Ｙ３と、それまでの入口過渡領域ＳＴinの車両Ｇの推移Ｙ１に基づいて、その後の車両Ｇの推移を予測する。現在の車両Ｇの接線方向Ｙ３は、例えば、前回検出された車両Ｇと現在の車両Ｇ（点Ｐ２）とを結ぶ方向で近似される。また、車両Ｇの大きさ（原点Ｏと入口過渡領域ＳＴinの車両Ｇの推移Ｙ１との距離）が一定の範囲内の値となるように車両Ｇの推移が設定されてもよい。
【００４３】
ＥＣＵ２０は、予測した車両Ｇの推移に沿って実際の車両Ｇが推移するように車両の制駆動力を制御する。ＥＣＵ２０が、カーブ走行時の車速を自動制御する速度自動制御装置として機能する場合には、入口過渡領域ＳＴinで上記予測された減速度変化となるような速度を目標として制駆動力を出力する。あるいは、ＥＣＵ２０が、運転者の速度コントロールをアシストする制御装置として機能する場合には、上記予測された減速度に近づけるよう、運転者の操作により決定した制駆動力に対し補正力を加算し出力する。これにより、実際の車両Ｇが、予測された車両Ｇから乖離することが抑制される。例えば、入口過渡領域ＳＴinにおいてブレーキの抜けが生じた場合に、不足する制動力を補うことで、運転者の意図する走行パターンから逸脱することを抑制することができる。また、予測された車両Ｇの推移からの乖離が抑制されることで、例えば、旋回中に車両Ｇの大きさが大きく増減することを抑制し、車両の安定性を向上させることができる。
【００４４】
また、本実施形態では、予め判定された運転者のタイプ（技量）に応じて、推測された車両Ｇの推移に基づく制駆動力の制御を行うか否かが決定される。制駆動力の制御は、運転者が、旋回を開始した後の減速時に横Ｇの増加に応じて前後方向の減速度を減少させ、かつ、旋回を開始した後の減速時において横Ｇと前後方向の減速度とを合成した加速度（車両Ｇ）の大きさの変動の度合いが所定の度合い以下となる所定の運転者である場合に実行される。
【００４５】
具体的には、運転者のタイプが、入口過渡領域ＳＴinにおける車両Ｇの推移を、図３に示すように原点Ｏから遠ざかる方向に突出する曲線とする（車両Ｇを円弧状に動かす）タイプ（所定の運転者、以下、「タイプ１」と称する。）であると判定されている場合に、推測された車両Ｇの推移に基づく制駆動力の制御が行われる。また、運転者がタイプ１ではないと判定されている場合、例えば、運転者が、入口過渡領域ＳＴinにおける車両Ｇの推移を、図４に示すように原点Ｏに向けて突出する曲線とするタイプ（以下、「タイプ２」と称する。）であると判定されている場合には、推測された車両Ｇの推移に基づく制駆動力の制御は行われない。これは、推測された車両Ｇの推移に基づく制駆動力の制御が、タイプ１の運転者による運転の場合に特に有効な制駆動力制御であるからである。運転者のタイプは、過去のカーブ走行時に運転者が運転操作をして車両に作用した横加速度と前後方向の減速度との関係である第二の関係に基づき判定される。運転者のタイプは、例えば、以下に図６を参照して説明する方法で判定される。
【００４６】
図６は、運転者の車両Ｇコントロールタイプの判定方法を説明するための図である。図６において、符号Ｐ７は、旋回開始時の車両Ｇを示す点（以下、「旋回開始点」と称する。）を示す。符号Ｐ８は、減速終了時の車両Ｇを示す点（以下、「減速終了点」と称する。）を示す。符号Ｍは、旋回開始点Ｐ７と減速終了点Ｐ８とを結ぶ線分である。過去のカーブ入口側走行時の前後Ｇ、横Ｇの動き（第二の関係）から、入口過渡領域ＳＴinにおける車両Ｇが、線分Ｍよりも原点Ｏ側と反対側を通る場合にはタイプ１の運転者と判定し、そうでない場合にはタイプ２の運転者と判定する。また、カーブ出口走行時の前後Ｇ、横Ｇの動きから、同様に運転者のタイプを判定することができる。これにより、推測された車両Ｇの推移に基づく制駆動力の制御が特に有効な運転者に限定して上記制御を実行することができる。
【００４７】
なお、運転者の車両Ｇコントロールタイプの判定方法は、上記の方法には限定されない。入口過渡領域ＳＴinにおける車両Ｇの変動の度合いに基づく他の方法で車両Ｇコントロールタイプが判定されてもよい。例えば、旋回を開始したとき（旋回開始点Ｐ７）の車両Ｇの大きさに対して、入口過渡領域ＳＴinの車両Ｇの大きさの変動の度合いが、所定の度合い以下である場合にタイプ１の運転者と判定されてもよく、入口過渡領域ＳＴinにおける車両Ｇの大きさの変動幅が所定の幅以下である場合にタイプ１の運転者と判定されてもよい。また、車両Ｇコントロールタイプの判定は、１回の旋回走行時の車両Ｇの推移に基づいてなされても、複数回の旋回走行時の車両Ｇの推移に基づいてなされてもよい。また、車両Ｇコントロールタイプの判定は、運転者の技量の高さを判定する公知の方法に基づいてなされてもよい。
【００４８】
また、本実施形態では、車両の周辺環境に基づき、カーブにおいて減速操作と旋回操作とを同時に行うことが許容されないと判定された場合は、制駆動力の制御が行われない。具体的には、前方の道路が街中の道路である場合や、前方のカーブが交差点である場合には、推測された車両Ｇの推移に基づく制駆動力の制御を行わない。これは、通常、どの運転者も街中や交差点の走行時には、歩行者、自転車などの確認のため、減速と旋回を分けて操作するためである。つまり、タイプ１の運転者であっても、街中や交差点では減速しつつ旋回するような運転を行わないため、推測された車両Ｇの推移に基づく制駆動力の制御は実行されない。これにより、タイプ１の運転者であって、かつ、過渡領域で車両Ｇを円弧状に動かす運転操作を行うような状況に限定して推測された車両Ｇの推移に基づく制駆動力の制御を行うことができる。
【００４９】
図１を参照して、本実施形態の動作について説明する。
【００５０】
ステップＳ１０では、ＥＣＵ２０により、自車位置が取得される。ＥＣＵ２０は、ナビゲーション装置５０のＥＣＵ６０を介して自車両の現在位置を取得する。
【００５１】
次に、ステップＳ２０では、ＥＣＵ２０により前方カーブ（コーナ）情報が取得される。ＥＣＵ２０は、ナビゲーション装置５０のＥＣＵ６０を介して、前方の道路形状（カーブ曲率Ｒ、カーブ開始・終了地点等）を取得する。
【００５２】
次に、ステップＳ３０では、ＥＣＵ２０により、運転者の車両Ｇコントロールタイプが判断される。ＥＣＵ２０は、過去のカーブ入口、出口走行時の前後Ｇ、横Ｇの動きから、運転者が車両Ｇを円弧状に動かすタイプ（タイプ１の運転者）かそうでないかを判断する。
【００５３】
次に、ステップＳ４０では、ＥＣＵ２０により車両の周辺環境（街中ｏｒ郊外）が取得される。ＥＣＵ２０は、ナビゲーション装置５０のＥＣＵ６０から車両の周辺環境が街中（市街）であるか郊外であるかの情報を取得する。ここで、街中であるか否かは、地図データに記憶された車両の周辺の環境（建築物の種類や密度など）に基づいて判定されてもよく、車両の周辺の歩行者や障害物等を検出する手段の検出結果に基づいて判定されてもよい。その他、車両の周辺環境が街中であるか否かを判定する公知の方法を用いることが可能である。
【００５４】
次に、ステップＳ５０では、ＥＣＵ２０によりカーブ環境（交差点）が取得される。ＥＣＵ２０は、前方のカーブが交差点であるか否かの情報をナビゲーション装置５０から取得する。
【００５５】
次に、ステップＳ６０では、ＥＣＵ２０により、現在の運転者が車両Ｇを円弧で変化させるタイプ１の運転者であるか否かが判定される。ＥＣＵ２０は、ステップＳ３０で判断された運転者の車両Ｇコントロールタイプに基づいてステップＳ６０の判定を行う。その判定の結果、車両Ｇを円弧で変化させる運転者であると判定された場合（ステップＳ６０−Ｙ）にはステップＳ７０に進み、そうでない場合（ステップＳ６０−Ｎ）には本制御フローは終了する。
【００５６】
ステップＳ７０では、ＥＣＵ２０により、車両の周辺環境が街中であるか否かが判定される。この判定は、ステップＳ４０で取得された情報に基づいてなされる。通常、どの運転者も街中を走行するときは、歩行者や自転車などの確認のため、減速と旋回を分けて操作する。このため、本実施形態では、街中を走行中には減速コントロール（入口過渡領域ＳＴinの制駆動力補正制御）は実施しない。車両の周辺環境が街中であると判定された場合（ステップＳ７０−Ｙ）には本制御フローは終了し、そうでない場合（ステップＳ７０−Ｎ）にはステップＳ８０に進む。
【００５７】
ステップＳ８０では、ＥＣＵ２０により前方のカーブが交差点であるか否かが判定される。この判定は、ステップＳ５０で取得された情報に基づいてなされる。通常、どの運転者も交差点走行時は、歩行者や自転車などの確認のため、減速と旋回を分けて操作する。このため、交差点走行時には、減速コントロールは実施しない。前方のカーブが交差点であると判定された場合（ステップＳ８０−Ｙ）には本制御フローは終了し、そうでない場合（ステップＳ８０−Ｎ）にはステップＳ９０に進む。
【００５８】
ステップＳ９０では、ＥＣＵ２０により、入口過渡領域ＳＴinにおいて制駆動力補正制御が実施される。ＥＣＵ２０は、車両の横Ｇと前後Ｇとの関係が予め設定された関係に沿って推移するように車両の制駆動力を制御する。ＥＣＵ２０は、予め設定された車両Ｇのパターンに基づいて、横Ｇの増加と共に前後方向の減速度の減少量を決定する。例えば、横Ｇと前後Ｇを合成した車両Ｇの大きさが一定となる（車両Ｇが、原点Ｏを中心とする円弧を描く）ように減速度の減少量が決定される。そして、ＥＣＵ２０は、実際の減速度の減少量が決定された減速度の減少量となるように車両の制駆動力を制御する。ステップＳ９０が実行されると、本制御フローは終了する。
【００５９】
なお、ステップＳ７０およびステップＳ８０の判定の他に、運転モード設定スイッチ３５により設定された運転モード等に基づいて減速コントロールを実行するか否かが判定されてもよい。例えば、スポーツ走行指向の運転モードが設定された場合に、予測された車両Ｇの推移に基づく制駆動力制御が行われるようにしてもよい。
【００６０】
本実施形態によれば、車両減速状態から旋回状態へ移行する入口過渡領域ＳＴinで、道路環境や運転技量にかかわらず、運転者に違和感を与えることなく運転者の運転（特性）に応じた横加速度と前後加速度を実現することができる。これにより、制御装置の出力やその修正のための操作によるドライバビリティの悪化、燃費の悪化を防止することが可能となる。
【００６１】
なお、減速状態から旋回状態へ移行する入口過渡領域ＳＴinの車両Ｇの推移の予測方法は、上記の方法には限定されない。車両Ｇの実際の推移から逐次将来の車両Ｇの推移を予測する方法に代えて、旋回開始時の車両Ｇに基づいて、減速終了時までの車両Ｇの推移を一度に予測することができる。この場合、例えば、過渡領域の車両Ｇの推移パターン（走行パターン）を予め複数記憶しておき、旋回開始時の車両Ｇの推移に応じた適切な車両Ｇの推移パターンに基づいてその後の車両Ｇの推移が設定される。また、過去のカーブ入口（入口過渡領域ＳＴin）走行時の前後Ｇ、横Ｇの動き（第二の関係）に基づいて、運転者の走行パターンに最も近い車両Ｇの推移パターンが予め選択されていてもよい。この場合、予め選択された車両Ｇの推移パターンと旋回開始時の車両Ｇに基づき減速終了までの車両Ｇの推移が予測されることができる。例えば、旋回開始時の車両Ｇに対して、予め選択された車両Ｇの推移パターンを相似的に当てはめることで、車両Ｇの推移が予測される。
【００６２】
また、過去のカーブ入口（入口過渡領域ＳＴin）走行時の前後Ｇ、横Ｇの推移を運転者の走行パターンとして記憶しておき、その走行パターンを相似的に当てはめて車両Ｇの推移を予測してもよい。技量の高い運転者の場合、一定の走行パターンからかけ離れた走行をすることが少ない。このため、予め記憶したパターンを当てはめて車両Ｇの推移を予測しても、運転者の意図する走行パターンからずれて運転者に違和感を与えることは少ない。なお、予め記憶したパターンを当てはめて車両Ｇの推移を予測した場合に、走行状態に応じて、将来の走行パターンを当初設定した走行パターンと異なるパターンに更新してもよい。例えば、当初設定した走行パターンに対して、運転者がより大きな減速度を要求する操作を行ったときに、その要求に応じて将来の走行パターンを更新してもよい。
【００６３】
また、本実施形態では、カーブ出口の加速側についても制駆動力の制御が行われる。カーブ出口の加速時に、横Ｇの減少につれて加速度（前後Ｇ）を増加させる運転者である場合には、推測された車両Ｇの推移に基づく制駆動力の制御がなされる。
【００６４】
図７は、技量の高い運転者による加速時の車両Ｇの変化パターンの一例を示す図、図８は、技量の低い運転者による加速時の車両Ｇの変化パターンの一例を示す図である。図７に示すように、技量の高い運転者では、旋回状態（符号Ｐ９参照）から、旋回を継続しながらカーブの途中で加速を開始する。図５において、符号ＳＴoutは、カーブの出口において旋回状態から加速状態へ移行する出口過渡領域を示す。また、符号ＳＡは、旋回が終了して直進状態で加速する加速区間を示す。技量の高い運転者は、図７に符号Ｙ４で示すように、横Ｇの減少に応じて加速度を増加させるように運転操作する。このときの旋回状態Ｐ９から加速状態Ｐ１１への出口過渡領域ＳＴoutの車両Ｇの推移Ｙ４は、原点Ｏから遠ざかる方向に突出する曲線となる。例えば、出口過渡領域ＳＴoutの車両Ｇの推移Ｙ４は、車両Ｇの大きさ（出口過渡領域ＳＴoutの車両Ｇの推移Ｙ４上の点Ｐ１０と原点Ｏとを結ぶ線分の長さ）が略一定となる曲線を描く。
【００６５】
一方、技量の低い運転者の場合、図８に示すように、カーブの出口で直進状態となってから加速を開始する。つまり、旋回状態Ｐ１２から加速状態Ｐ１４へ移行する場合に、ほぼ横Ｇが０となるまで加速を開始しない。符号Ｙ５は、旋回状態Ｐ１２から加速状態Ｐ１４へ移行する出口過渡領域ＳＴoutの車両Ｇの推移を示す。符号Ｐ１３は、旋回状態から加速状態へ移行する車両に作用する車両Ｇを示す。技量の低い運転者では、出口過渡領域ＳＴoutの車両Ｇの推移Ｙ５は、原点Ｏに向けて突出する曲線となる。
【００６６】
本実施形態のＥＣＵ２０は、カーブの出口側において加速を開始した後の加速時に車両に作用する横加速度と前後方向の加速度とが予め設定された第三の関係となるように制駆動力を制御する。ＥＣＵ２０は、カーブから脱出する加速時に、旋回状態から加速状態へ移行する出口過渡領域ＳＴoutの車両Ｇの推移（第三の関係）を予測し、予測した車両Ｇの推移に基づいて車両の制駆動力を制御する。具体的には、ＥＣＵ２０は、カーブ走行中に加速を開始したときの前後Ｇと横Ｇの動きに基づいて、その後の車両Ｇの推移を予測する。この車両Ｇの推移の予測方法は、減速時の車両Ｇの推移の予測方法と同様とすることができる。ＥＣＵ２０は、予測された車両Ｇの推移に沿って実際の車両Ｇが推移するように車両の制駆動力を制御する。これにより、運転者の意図に沿った走行パターンでカーブから脱出することができる。運転者の運転操作に基づいてその後の車両Ｇの推移が予測されるため、運転者の意図に沿わない制駆動力の制御となることを抑制し、運転者に違和感を与えることを防止することが可能となる。
【００６７】
なお、本実施形態の入口過渡領域ＳＴinにおける制駆動力の制御は、カーブ進入前の減速区間ＳＤにおいて車両を減速させる制駆動力の制御の後で実行されてもよい。例えば、減速区間ＳＤにおいて目標車速まで減速させる制駆動力の制御がなされた場合に、制駆動力の制御の終了時点で減速度が残っていることがある。この状態で旋回が開始されたときに、横Ｇの増加に応じて前後方向の減速度を減少させることで、運転者の感覚に沿った制駆動力の制御とすることができる。また、減速区間ＳＤの制駆動力の制御における目標車速が、運転者の車両Ｇコントロールタイプに基づいて決定されてもよい。例えば、運転者がタイプ１の運転者である場合には、そうでない場合と比較して目標車速が高車速とされることができる。この場合の目標車速の差は、例えば、入口過渡領域ＳＴinにおける減速により減少すると予測される速度の低下量に基づいて設定される。
【符号の説明】
【００６８】
１１  エンジン
１３  自動変速機
１６  駆動輪
１９  ブレーキ油圧制御装置
２０  ＥＣＵ
２１  アクセルポジションセンサ
２４  スロットルアクチュエータ
２９  車速センサ
３２  ブレーキ操作量センサ
３７  横Ｇセンサ
３８  前後Ｇセンサ
５０  ナビゲーション装置
６０  ＥＣＵ
【図１】
2011098606.tif 000003
【図２】
2011098606.tif 000004
【図３】
2011098606.tif 000005
【図４】
2011098606.tif 000006
【図５】
2011098606.tif 000007
【図６】
2011098606.tif 000008
【図７】
2011098606.tif 000009
【図８】
2011098606.tif 000010